(57)【要約】【課題】  歩行図形及び停止図形の輪郭を滑らかに表現し、発光ダイオードを使用した歩行者用信号機の視認性を高めるとともに、発光ダイオードの使用数量を削減してコストダウンを図る。【解決手段】  青色光Ｌｂ…を発光する青色発光ダイオード２ｂ…又は赤色光Ｌｒ…を発光する赤色発光ダイオード２ｒ…を選択して発光可能な発光部３と、この発光部３の前方に配し、歩行可を示す図形（歩行図形）Ｖｗを表示するとともに、歩行図形Ｖｗの内側Ｆｗｉを透明とし、かつ歩行図形Ｖｗの外側Ｆｗｏを透光性を有する赤色とした第一遮光プレート４ｗ，及び歩行不可を示す図形（停止図形）Ｖｓを表示するとともに、停止図形Ｖｓの内側Ｆｓｉを透明とし、かつ停止図形Ｖｓの外側Ｆｓｏを透光性を有する青色とした第二遮光プレート４ｓを重ねた遮光プレート部４と、この遮光プレート部４の前方に配した半透明のカバープレート部５とを備える。【選択図】  図１
2010061250.tif 000002
【特許請求の範囲】
【請求項１】
歩行可を示す図形（歩行図形）と歩行不可を示す図形（停止図形）を選択的に表示する歩行者用信号機において、青色光を発光する青色発光ダイオード又は赤色光を発光する赤色発光ダイオードを選択して発光可能な発光部と、この発光部の前方に配し、前記歩行図形を表示するとともに、前記歩行図形の内側を透明とし、かつ前記歩行図形の外側を透光性を有する赤色とした第一遮光プレート，及び前記停止図形を表示するとともに、前記停止図形の内側を透明とし、かつ前記停止図形の外側を透光性を有する青色とした第二遮光プレートを重ねた遮光プレート部と、この遮光プレート部の前方に配した半透明のカバープレート部とを備えてなることを特徴とする歩行者用信号機。
【請求項２】
前記発光部は、面発光を行う光ファイバと、この光ファイバの一端面又は両端面に投光する青色発光ダイオード及び／又は赤色発光ダイオードからなる複数の発光ユニットを配列させて構成することを特徴とする請求項１記載の歩行者用信号機。
【請求項３】
前記発光ユニットは、前記光ファイバにおける一端面に少なくとも一つ以上の前記青色発光ダイオードを配し、かつ他端面に少なくとも一つ以上の前記赤色発光ダイオードを配することを特徴とする請求項２記載の歩行者用信号機。
【請求項４】
前記光ファイバは、中心のコア部とこのコア部を覆うクラッド部の二層構造により構成し、前記コア部と前記クラッド部の屈折率により前記クラッド部の外周面から漏洩光を生じさせて面発光を行うことを特徴とする請求項１，２又は３記載の歩行者用信号機。
【請求項５】
前記青色発光ダイオード及び前記赤色発光ダイオードは、パワー発光ダイオードを用いることを特徴とする請求項１〜４のいずれかに記載の歩行者用信号機。
【請求項６】
最外郭に配したハウジングを備えるとともに、このハウジングを熱伝導性素材により形成し、かつ前記青色発光ダイオード及び前記赤色発光ダイオードをマウントした基板部から前記ハウジングまで熱伝導構造により構成することを特徴とする請求項５記載の歩行者用信号機。
【発明の詳細な説明】
【技術分野】
【０００１】
本発明は、横断歩道に設置することにより、歩行可を示す図形と歩行不可を示す図形を選択的に表示する歩行者用信号機に関する。
【背景技術】
【０００２】
従来、歩行可を示す図形（歩行図形）と歩行不可を示す図形（停止図形）を選択的に表示する歩行者用信号機、特に、発光ダイオードを用いた歩行者用信号機としては、特許文献１に開示される歩行者用交通信号機が知られている。
【０００３】
同文献１に開示される歩行者用交通信号機は、前面に発光面を有するケーシングと、このケーシング内に配設される発光手段と、発光面から放射される光の態様を、絵柄に相当する絵柄領域、及びこの絵柄の背景となる背景領域で互いに異ならせ、発光面上に絵柄を表示させる絵柄表示手段と、絵柄表示手段によって表示される絵柄を動的に変化させる動画表示制御手段を備え、発光手段は、発光面に対して格子状に配列された複数の発光ダイオードにより構成するとともに、絵柄表示手段は、絵柄に対応する複数の発光ダイオードの点灯又は点滅により絵柄を表示するようにしたものである。
【特許文献１】特開２００４−１１８４８１号公報
【発明の開示】
【発明が解決しようとする課題】
【０００４】
しかし、上述した発光ダイオードを用いた従来の歩行者用交通信号機は、次のような問題点があった。
【０００５】
第一に、絵柄を複数の発光ダイオードを集合させてドット表示を行うとともに、歩行可と歩行不可の二つの絵柄を同一面上で表示するため、輪郭が粗くなり、絵柄を滑らかに表現しにくいという基本的な問題を包含し、歩行者用信号機としての視認性を確保しにくいとともに、視認性を高めるにも限界がある。
【０００６】
第二に、絵柄の視認性を高めるには、発光ダイオードの使用数量をある程度確保する必要があるため、発光ダイオードの使用数量の増加及び基板や回路の複雑化などに伴うコストアップを無視できない。
【０００７】
第三に、発光ダイオードが一つでも故障した場合、ドット抜けが生じて見にくくなったり、各発光ダイオードの位置が絵柄に固定されるため、柔軟な発熱対策（放熱対策）を行うことができないなど、発光ダイオードの発光を直接利用して絵柄を表現することに伴う様々な問題を包含する。
【０００８】
本発明は、このような背景技術に存在する課題を解決した歩行者用信号機の提供を目的とするものである。
【課題を解決するための手段】
【０００９】
本発明に係る歩行者用信号機１は、上述した課題を解決するため、歩行可を示す図形（歩行図形）Ｖｗと歩行不可を示す図形（停止図形）Ｖｓを選択的に表示する歩行者用信号機を構成するに際して、青色光Ｌｂ…を発光する青色発光ダイオード２ｂ…又は赤色光Ｌｒ…を発光する赤色発光ダイオード２ｒ…を選択して発光可能な発光部３と、この発光部３の前方に配し、歩行図形Ｖｗを表示するとともに、歩行図形Ｖｗの内側Ｆｗｉを透明とし、かつ歩行図形Ｖｗの外側Ｆｗｏを透光性を有する赤色とした第一遮光プレート４ｗ，及び停止図形Ｖｓを表示するとともに、停止図形Ｖｓの内側Ｆｓｉを透明とし、かつ停止図形Ｖｓの外側Ｆｓｏを透光性を有する青色とした第二遮光プレート４ｓを重ねた遮光プレート部４と、この遮光プレート部４の前方に配した半透明のカバープレート部５とを備えてなることを特徴とする。
【００１０】
この場合、発明の好適な態様により、発光部３は、面発光を行う光ファイバ１２…と、この光ファイバ１２…の一端面又は両端面に投光する青色発光ダイオード２ｂ…及び／又は赤色発光ダイオード２ｒ…からなる複数の発光ユニット１１…を配列させて構成できる。この際、発光ユニット１１は、光ファイバ１２における一端面に少なくとも一つ以上の青色発光ダイオード２ｂ…を配し、かつ他端面に少なくとも一つ以上の赤色発光ダイオード２ｒ…を配して構成できる。また、光ファイバ１２は、中心のコア部１２ｃとこのコア部１２ｃを覆うクラッド部１２ｓの二層構造により構成し、コア部１２ｃとクラッド部１２ｓの屈折率によりクラッド部１２ｓの外周面１２ｓｆから漏洩光Ｌｅを生じさせて面発光を行うことができる。さらに、青色発光ダイオード２ｂ及び赤色発光ダイオード２ｒには、パワー発光ダイオードを用いることができる。一方、最外郭に配したハウジング１５を備えるとともに、このハウジング１５を熱伝導性素材Ｒｈにより形成し、かつ青色発光ダイオード２ｂ…及び赤色発光ダイオード２ｒ…をマウントした基板部１６…からハウジング１５まで熱伝導構造Ｍｔにより構成できる。
【発明の効果】
【００１１】
このような構成を有する本発明に係る歩行者用信号機１によれば、次のような顕著な効果を奏する。
【００１２】
（１）  歩行図形Ｖｗを表示した第一遮光プレート４ｗ及び停止図形Ｖｓを表示した第二遮光プレート４ｓを利用したため、歩行図形Ｖｗと停止図形Ｖｓを同一面上で表示する場合であっても、青色発光ダイオード２ｂ…又は赤色発光ダイオード２ｒ…の発光を直接利用するドット表示とは異なり、歩行図形Ｖｗ及び停止図形Ｖｓの輪郭を滑らかに表現でき、発光ダイオードを使用した歩行者用信号機１の視認性を高めることができる。
【００１３】
（２）  青色発光ダイオード２ｂ…又は赤色発光ダイオード２ｒ…の発光を直接利用しないため、歩行図形Ｖｗ又は停止図形Ｖｓの大きさ等には左右されず、各発光ダイオード２ｂ…，２ｒ…の使用数量を臨機応変に設定できる。したがって、例えば、発光ダイオードの輝度を考慮した使用数量の削減、及び基板や回路の単純化を含む歩行者用信号機１全体のコストダウンを図ることができる。
【００１４】
（３）  任意の発光ダイオード２ｂ（又は２ｒ）が故障した場合であってもドット抜け（画素抜け）が生じないため、即、歩行図形Ｖｗ又は停止図形Ｖｓが見にくくなることがないとともに、各発光ダイオード２ｂ…（２ｒ…）の位置が歩行図形Ｖｗ及び停止図形Ｖｓ上に固定されないため、柔軟な発熱対策（放熱対策）を行うことができるなど、発光ダイオードの発光を直接利用してドット表示する際に発生する様々な問題を解消できる。
【００１５】
（４）  好適な態様により、面発光を行う光ファイバ１２…と、この光ファイバ１２…の一端面又は両端面に投光する青色発光ダイオード２ｂ…及び／又は赤色発光ダイオード２ｒ…からなる複数の発光ユニット１１…を配列させて発光部３を構成すれば、青色発光ダイオード２ｂ…からの青色光Ｌｂ…及び／又は赤色発光ダイオード２ｒ…からの赤色光Ｌｒ…を良好に拡散でき、本発明に係る歩行者用信号機１をより効果的に実施できる。
【００１６】
（５）  好適な態様により、光ファイバ１２における一端面に青色発光ダイオード２ｂ…を配し、かつ他端面に赤色発光ダイオード２ｒ…を配して発光ユニット１１を構成すれば、一つの光ファイバ１２…を青色光Ｌｂ…の発光と赤色光Ｌｒ…の発光の双方に兼用することができる。したがって、より緻密な発光を行うことができるとともに、明るさのムラを低減することができる。
【００１７】
（６）  好適な態様により、光ファイバ１２を、中心のコア部１２ｃとこのコア部１２ｃを覆うクラッド部１２ｓの二層構造により構成し、コア部１２ｃとクラッド部１２ｓの屈折率によりクラッド部１２ｓの外周面１２ｓｆから漏洩光Ｌｅを生じさせて面発光を行うようにすれば、本発明に係る歩行者用信号機１をより望ましい形態で実施でき、より大きなパフォーマンスを得ることができる。
【００１８】
（７）  好適な態様により、青色発光ダイオード２ｂ及び赤色発光ダイオード２ｒに、パワー発光ダイオードを用いれば、発光ダイオードの使用数量をより少なくすることができ、必要な明るさを容易に確保できる。
【００１９】
（８）  好適な態様により、最外郭に配したハウジング１５を備えるとともに、このハウジング１５を熱伝導性素材Ｒｈにより形成し、かつ青色発光ダイオード２ｂ…及び赤色発光ダイオード２ｒ…をマウントした基板部１６…からハウジング１５まで熱伝導構造Ｍｔにより構成すれば、パワー発光ダイオードの発熱をハウジング１５に効率的に伝達し、夏季は有効な放熱を図ることができるとともに、冬季は歩行者用信号機１の有効な着雪防止（融雪）を図ることができる。
【発明を実施するための最良の形態】
【００２０】
次に、本発明に係る最良の実施形態を挙げ、図面に基づき詳細に説明する。
【００２１】
まず、本実施形態に係る歩行者用信号機１の構成について、図１〜図６を参照して具体的に説明する。
【００２２】
歩行者用信号機１は、図２及び図４に示すように、最外郭に配したハウジング１５を備える。このハウジング１５は、熱伝導性素材Ｒｈにより一体形成し、背面部１５ｒ，上面部１５ｕ，下面部１５ｄ，左側面部１５ｐ及び右側面部１５ｑを有する。この場合、背面部１５ｒはほぼ正方形となる。また、ハウジング１５の前後方向幅は薄くすることが可能であり、実質的には数〔ｃｍ〕で足りる。なお、熱伝導性素材Ｒｈとしては、アルミニウム等の金属素材や合金素材を利用できる。
【００２３】
そして、ハウジング１５の内部には、図２に示すように、背面部１５ｒ側から、発光部３，透明プレート２２，第一遮光プレート４ｗ及び第二遮光プレート４ｓからなる遮光プレート部４，カバープレート部５，保護プレート２３を順次収容するとともに、ハウジング１５の前端部には固定フレーム２４を取付けて保護プレート２３を保持固定する。
【００２４】
発光部３は、図４及び図５に示すように、ベースプレート２１を備える。ベースプレート２１は断熱素材により形成し、前面は反射面又は乱射面などの処理を施すことができる。また、このベースプレート２１の前面における上端部と下端部には、伝熱性素材により形成した支持ブロック３１ｕと３１ｄをそれぞれ固定し、支持ブロック３１ｕと３１ｄは、ハウジング１５の上面部１５ｕと下面部１５ｄの内面にそれぞれ接触又は近接させる。なお、この支持ブロック３１ｕと３１ｄは、ハウジング１５の上面部１５ｕと下面部１５ｄの内面にそれぞれ固定してもよく、この場合、ベースプレート２１は必ずしも設けることを要しない。上側に配する伝熱プレート３１ｕの下面には、複数（例示は、十五個）の光源ソケット３２…を固定し、各光源ソケット３２…は長手方向（左右方向）に沿って配列させる。一つの光源ソケット３２は、図４に示すように、円盤形の基板部１６及び円筒形の嵌着保持部３３を備え、基板部１６及び嵌着保持部３３は伝熱プレート３１ｕの下面に固定するとともに、基板部１６は嵌着保持部３３の内部に収容する。基板部１６には、パワー発光ダイオードを用いた一又は二以上の赤色発光ダイオード（赤色ＬＥＤ）２ｒ…又は一又は二以上の青色発光ダイオード（青色ＬＥＤ）２ｂ…をマウントするとともに、嵌着保持部３３は遮光性素材により形成する。
【００２５】
このような構成により、青色ＬＥＤ２ｂ…又は赤色ＬＥＤ２ｒ…をマウントした基板部１６…からハウジング１５までは熱伝導性を有する熱伝導構造Ｍｔとなる。したがって、パワー発光ダイオードの発熱をハウジング１５に効率的に伝達し、夏季は有効な放熱を図れるとともに、冬季は歩行者用信号機１の有効な着雪防止（融雪）を図れる利点がある。このときの伝熱経路を図３中に矢印Ｆｈ…で示す。また、青色発光ダイオード２ｂ及び赤色発光ダイオード２ｒに、パワー発光ダイオードを用いれば、発光ダイオードの使用数量をより少なくすることができ、必要な明るさを容易に確保できる利点がある。
【００２６】
以上、上側となる伝熱プレート３１ｕ側の構成について説明したが、下側となる伝熱プレート３１ｄ側も同様に構成する。即ち、伝熱プレート３１ｄの上面に、上側の光源ソケット３２…と同様の光源ソケット３２…を上側の光源ソケット３２…にそれぞれ対向させて固定する。この場合、図５に示すように、上下に相対向する一対の光源ソケット３２と３２の一方に赤色ＬＥＤ２ｒを配し、他方に青色ＬＥＤ２ｂを配するとともに、伝熱プレート３１ｕ（３１ｄ）の長手方向に沿って配列させた各光源ソケット３２…は、赤色ＬＥＤ２ｒ…と青色ＬＥＤ２ｂ…を交互に位置させる。
【００２７】
さらに、上下の相対向する一対の光源ソケット３２と３２は、図４に示すように、面発光を行う光ファイバ１２により光学的に接続する。この場合、光ファイバ１２の一端部を上側の光源ソケット３２の嵌着保持部３４ｕに挿入して接続するとともに、光ファイバ１２の他端部を下側の光源ソケット３２の嵌着保持部３３に挿入して接続する。これにより、光ファイバ１２の一端面に青色ＬＥＤ２ｂから投光が行われ、かつ光ファイバ１２の他端面に赤色ＬＥＤ２ｒから投光が行われる発光ユニット１１が構成され、複数の発光ユニット１１…が伝熱プレート３１ｕ（３１ｄ）に沿って配列されることになる。
【００２８】
このように、光ファイバ１２における一端面に青色発光ダイオード２ｂ…を配し、かつ他端面に赤色発光ダイオード２ｒ…を配して発光ユニット１１を構成すれば、一つの光ファイバ１２を青色光Ｌｂの発光と赤色光Ｌｒの発光の双方に兼用することができ、より緻密な発光を行うことができるとともに、明るさのムラを低減することができる。また、面発光を行う光ファイバ１２…と、この光ファイバ１２…の一端面又は両端面に投光する青色発光ダイオード２ｂ…及び／又は赤色発光ダイオード２ｒ…からなる複数の発光ユニット１１…を配列させて発光部３を構成すれば、青色発光ダイオード２ｂ…からの青色光Ｌｂ…及び／又は赤色発光ダイオード２ｒ…からの赤色光Ｌｒ…を良好に拡散でき、本発明に係る歩行者用信号機１をより効果的に実施できる。
【００２９】
光ファイバ１２は、図３に示すように、中心のコア部１２ａとこのコア部１２ａを覆うクラッド部１２ｂの二層構造により構成し、コア部１２ａとクラッド部１２ｂの屈折率によりクラッド部１２ｂの外周面１２ｂｆから漏洩光Ｌｅを生じさせる。したがって、光ファイバ１２は、面発光可能な性質を有する。この場合、一般的な光伝送用の光ファイバでは、コア部の屈折率をクラッド部よりも高く設定し、いわば光をコア部の内部に閉じ込めるようにしているが、本実施形態で使用する光ファイバ１２は、一端部又は他端部から入射した光Ｌの一部がクラッド部１２ｂを透過して漏洩光Ｌｅとなるように、コア部１２ａ及びクラッド部１２ｂの屈折率を設定するため、この漏洩光Ｌｅにより光ファイバ１２はクラッド部１２ｂの外周面１２ｂｆ全体から光を照射する面発光を行う。このような面発光を行う光ファイバ１２を用いれば、本発明に係る歩行者用信号機１をより望ましい形態で実施でき、もって、より大きなパフォーマンスを得ることができる。例示の光ファイバ１２は、コア部１２ａに軟質のアクリル樹脂を使用し、クラッド部１２ｂにコア部１２ａよりも相対的に硬質となるアクリル樹脂を使用している。したがって、光ファイバ１２は、湾曲可能な性質を有し、必要に応じて自由に湾曲させることができる。なお、光ファイバ１２の径は、特に問わないが、５〜５０〔ｍｍ〕程度を選定できる。
【００３０】
一方、各赤色ＬＥＤ２ｒ…は、並列接続により制御部４１の第一出力ポートに接続するとともに、各青色ＬＥＤ２ｂ…は、並列接続により制御部４１の第二出力ポートに接続する。制御部４１は、マイクロコンピュータ等を内蔵して赤色ＬＥＤ２ｒ…と青色ＬＥＤ２ｂ…の点灯及び消灯に係わる制御を行う。また、制御部４１には、電源部４２及び設定部４３を接続する。電源部４２は一次側を交流電源に接続し、二次側を制御部４１に接続する。したがって、電源部４２は少なくとも整流回路を内蔵し、交流電圧を整流した正電圧成分及び平滑した直流電圧を制御部４１に付与する機能を有する。なお、設定部４３により赤色ＬＥＤ２ｒ…及び青色ＬＥＤ２ｂ…の点灯時間及び消灯時間等を設定できる。このような制御部４１，電源部４２及び設定部４３は、ハウジング１５の内部に設けてもよいし、ハウジング１５の外部に別途設けた制御ボックスに内蔵させてもよい。
【００３１】
他方、発光部３の前方には透明プレート２２を配する。この透明プレート２２は、透明なガラス板又はプラスチック板等を用いることができる。さらに、この透明プレート２２の前方には、第一遮光プレート４ｗ及び第二遮光プレート４ｓからなる遮光プレート部４を配する。第一遮光プレート４ｗは、図６に示すように、歩行可を示す図形（歩行図形）Ｖｗを表示するとともに、歩行図形Ｖｗの内側Ｆｗｉを透明とし、かつ歩行図形Ｖｗの外側Ｆｗｏを透光性を有する赤色としたものであり、例えば、歩行図形Ｖｗを切抜いた透光性の赤色シートを用意し、この赤色シートを透明なプレート材に貼付けて製作できる。また、第二遮光プレート４ｓは、図６に示すように、歩行不可を示す図形（停止図形）Ｖｓを表示するとともに、停止図形Ｖｓの内側Ｆｓｉを透明とし、かつ停止図形Ｖｓの外側Ｆｓｏを透光性を有する青色としたものであり、例えば、停止図形Ｖｓを切抜いた透光性の青色シートを用意し、この青色シートを透明なプレート材に貼付けて製作できる。
【００３２】
さらに、遮光プレート部４の前方にはカバープレート部５を配する。このカバープレート部５は、半透明なガラス板又はプラスチック板等を用いることができる。カバープレート部５は、発光部３が発光していないときは、外部から見て内側が見えないか或いは見えにくくし、発光部３が発光しているときは、一定の輝度により歩行図形Ｖｗ又は停止図形Ｖｓを表示する機能を有する。この場合、半透明には、例えば、グレー色をはじめ、乳白色や乱反射処理面等も含まれる。
【００３３】
したがって、歩行者用信号機１は、次のように組立てることができる。まず、予め製作した、ハウジング１５，発光部３，透明プレート２２，遮光プレート部４，カバープレート部５，保護プレート２３，固定フレーム２４を用意する。そして、まず、ハウジング１５の内部に、図２に示すように、発光部３を収容して固定する。この際、ハウジング１５の上面部１５ｕと支持ブロック３１ｕ間、ハウジング１５の下面部１５ｄと支持ブロック３１ｄ間には、それぞれ伝熱性を高めるための伝熱性グリース等を充填することが望ましい。次いで、ハウジング１５の内部に、透明プレート２２，第一遮光プレート４ｗ，第二遮光プレート４ｓ，カバープレート部５，保護プレート２３を順次収容するとともに、ハウジング１５の前端部に固定フレーム２４を取付ければよく、歩行者用信号機１の組立ては容易に行うことができる。
【００３４】
次に、本実施形態に係る歩行者用信号機１の動作について、図１〜図６を参照して説明する。
【００３５】
まず、電源部４２の一次側を交流電源に接続すれば、交流電圧を整流した正電圧成分（ＬＥＤ駆動用）及び平滑した直流電圧（制御部駆動用）が制御部４１に付与される。また、設定部４３により赤色ＬＥＤ２ｒ…及び青色ＬＥＤ２ｂ…の点灯時間及び消灯時間を設定する。これにより、制御部４１は、赤色ＬＥＤ２ｒ…及び青色ＬＥＤ２ｂ…を設定した点灯時間及び消灯時間に従って駆動制御する。
【００３６】
今、青色ＬＥＤ２ｂ…が点灯した場合を想定する。これにより、図１（ａ）に示すように、発光部３からは青色光Ｌｂ…が発光され、この青色光Ｌｂ…は、透明プレート２２を透過して第一遮光プレート４ｗに至る。第一遮光プレート４ｗは、歩行図形Ｖｗの内側Ｆｗｉが透明、歩行図形Ｖｗの外側Ｆｗｏが透光性を有する赤色のため、青色光Ｌｂ…は歩行図形Ｖｗの内側Ｆｗｉをそのまま透過するとともに、歩行図形Ｖｗの外側Ｆｗｏでは、透光性を有する赤色に青色光Ｌｂ…を加えた色となるため、実質的に青色光Ｌｂ…の透過が阻止される。そして、第一遮光プレート４ｗを透過した歩行図形Ｖｗに象られた青色光Ｌｂ…は、第二遮光プレート４ｓに至る。第二遮光プレート４ｓは、停止図形Ｖｓの内側Ｆｓｉが透明、停止図形Ｖｓの外側Ｆｓｏが透光性を有する青色のため、青色光Ｌｂ…は停止図形Ｖｓの内側Ｆｓｉをそのまま透過するとともに、停止図形Ｖｓの外側Ｆｓｏでは、透光性を有する青色に青色光Ｌｂ…を加えた色となるため、青色光Ｌｂ…は実質的に透過する。したがって、遮光プレート部４からは歩行図形Ｖｗに象られた青色光Ｌｂ…が出力し、半透明のカバープレート部５に至る。青色光Ｌｂ…は半透明のカバープレート部５を透過するため、カバープレート部５の前面には、図１（ａ）に示す一定の輝度による歩行図形Ｖｗが表示される。
【００３７】
一方、各赤色ＬＥＤ２ｒ…が点灯した場合を想定する。これにより、図１（ｂ）に示すように、発光部３からは赤色光Ｌｒ…が発光され、この赤色光Ｌｒ…は、透明プレート２２を透過して第一遮光プレート４ｗに至る。第一遮光プレート４ｗでは、赤色光Ｌｒ…は歩行図形Ｖｗの内側Ｆｗｉをそのまま透過し、歩行図形Ｖｗの外側Ｆｗｏでは、透光性を有する赤色に赤色光Ｌｒ…を加えた色となるため、赤色光Ｌｒ…は第一遮光プレート４ｗを実質的に透過する。そして、第一遮光プレート４ｗを透過した赤色光Ｌｒ…は、第二遮光プレート４ｓに至る。第二遮光プレート４ｓでは、赤色光Ｌｒ…は停止図形Ｖｓの内側Ｆｓｉをそのまま透過し、停止図形Ｖｓの外側Ｆｓｏでは、透光性を有する青色に赤色光Ｌｒ…を加えた色となるため、実質的に赤色光Ｌｒ…の透過が阻止される。したがって、遮光プレート部４からは停止図形Ｖｓに象られた赤色光Ｌｒ…が出力し、半透明のカバープレート部５に至る。赤色光Ｌｒ…は半透明のカバープレート部５を透過するため、カバープレート部５の前面には、図１（ｂ）に示す一定の輝度による停止図形Ｖｓが表示される。
【００３８】
ところで、本実施形態に係る歩行者用信号機１は、青色ＬＥＤ２ｂ…又は赤色ＬＥＤ２ｒ…をマウントした基板部１６…からハウジング１５までは熱伝導構造Ｍｔとなるため、パワー発光ダイオードを用いた青色ＬＥＤ２ｂ…又は赤色ＬＥＤ２ｒ…からの発熱は、基板部１６…から伝熱プレート３１ｕに伝わり、さらに、伝熱プレート３１ｕからハウジング１５の上面部１５ｕに伝わる。したがって、夏季は有効な放熱が図られるとともに、冬季は歩行者用信号機１の有効な着雪防止（融雪）が図られる。
【００３９】
このように、本実施形態に係る歩行者用信号機１は、歩行図形Ｖｗを表示した第一遮光プレート４ｗ及び停止図形Ｖｓを表示した第二遮光プレート４ｓを利用したため、歩行図形Ｖｗと停止図形Ｖｓを同一面上で表示する場合であっても、青色発光ダイオード２ｂ…又は赤色発光ダイオード２ｒ…の発光を直接利用するドット表示とは異なり、歩行図形Ｖｗ及び停止図形Ｖｓの輪郭を滑らかに表現でき、発光ダイオードを使用した歩行者用信号機１の視認性を高めることができる。また、青色発光ダイオード２ｂ…又は赤色発光ダイオード２ｒ…の発光を直接利用しないため、歩行図形Ｖｗ又は停止図形Ｖｓの大きさ等には左右されず、各発光ダイオード２ｂ…，２ｒ…の使用数量を臨機応変に設定できる。したがって、例えば、発光ダイオードの輝度を考慮した使用数量の削減、及び基板や回路の単純化を含む歩行者用信号機１全体のコストダウンを図ることができる。さらに、任意の発光ダイオード２ｂ（又は２ｒ）が故障した場合であってもドット抜け（画素抜け）が生じないため、即、歩行図形Ｖｗ又は停止図形Ｖｓが見にくくなることがないとともに、各発光ダイオード２ｂ…（２ｒ…）の位置が歩行図形Ｖｗ及び停止図形Ｖｓ上に固定されないため、柔軟な発熱対策（放熱対策）を行うことができるなど、発光ダイオードの発光を直接利用してドット表示する際に発生する様々な問題を解消できる。
【００４０】
以上、各種実施形態について詳細に説明したが、本発明はこのような実施形態に限定されるものではなく、細部の構成，形状，素材，数量，数値等において、本発明の要旨を逸脱しない範囲で、任意に変更，追加，削除することができる。
【００４１】
例えば、歩行可を示す図形Ｖｗと歩行不可を示す図形Ｖｓは、例示に限定されるものではなく、文字（「ＷＡＬＫ」，「ＳＴＯＰ」）や記号等であってもよい。また、青色，赤色は純粋な色を示すものではなく、信号上の色であり、青は、例えば、緑であってもよい。さらに、光ファイバ５は、二層構造を例示したが、同様の作用を呈するものであれば一層構造であってもよいし、必要により三層以上の構造であってもよい。一方、パワー発光ダイオードは、特定の発光ダイオードを示すものではなく、発光輝度の大きい発光ダイオードの意味である。なお、本発明に係る歩行者用信号機１は、歩行者用交通信号機をはじめ、歩行者に係わる各種信号機に利用することができる。
【図面の簡単な説明】
【００４２】
【図１】本発明の最良の実施形態に係る歩行者用信号機の原理を説明するための原理構成図、
【図２】同歩行者用信号機の側面断面図、
【図３】同歩行者用信号機の作用説明図、
【図４】同歩行者用信号機の発光部の構成を明示する一部抽出拡大断面図を含む正面構成図、
【図５】同歩行者用信号機の発光部の電気系回路図、
【図６】同歩行者用信号機における透明プレート，遮光プレート部及びカバープレート部の正面図、
【符号の説明】
【００４３】
１：歩行者用信号機，２ｂ…：青色発光ダイオード，２ｒ…：赤色発光ダイオード，３：発光部，４：遮光プレート部，４ｗ：第一遮光プレート，４ｓ：第二遮光プレート，５：カバープレート部，１１…：発光ユニット，１２…：光ファイバ，１２ｃ：コア部，１２ｓ：クラッド部，１２ｓｆ：クラッド部の外周面，１５：ハウジング，１６…：基板部，Ｖｗ：歩行可を示す図形（歩行図形），Ｖｓ：歩行不可を示す図形（停止図形），Ｌｂ…：青色光，Ｌｒ…：赤色光，Ｌｅ：漏洩光，Ｆｗｉ：歩行図形の内側，Ｆｗｏ：歩行図形の外側，Ｆｓｉ：停止図形の内側，Ｆｓｏ：停止図形の外側，Ｒｈ：熱伝導性素材，Ｍｔ：熱伝導構造
【図１】
2010061250.tif 000003
【図２】
2010061250.tif 000004
【図３】
2010061250.tif 000005
【図４】
2010061250.tif 000006
【図５】
2010061250.tif 000007
【図６】
2010061250.tif 000008